(57)【特許請求の範囲】
【請求項１】
画像表示装置の表示領域における情報の表示（以下、情報表示という）を行うか否かを指定する表示可否データを記憶する記憶媒体と、
前記記憶媒体に記憶されている前記表示可否データが前記情報表示を行う旨を指定していることに基づいて、前記画像表示装置を制御して前記情報表示を行わせ、また、前記記憶媒体に記憶されている表示可否データが前記情報表示を行わない旨を指定していることに基づいて、前記情報表示のための制御を回避する情報表示制御手段と、
前記画像表示装置が前記情報表示を行っているとき、ユーザによる前記表示領域の指定操作があったことに基づいて、前記情報表示の表示可否の設定を行うための設定画面を表示し、その設定画面において、前記表示可否の設定のための操作をユーザから受け付けると共に受け付けた前記操作に対応する設定を前記記憶媒体中の前記表示可否データに反映させる表示時設定処理手段と、を備え、
前記情報表示のための画像が占める前記表示領域の一部に、選択可能なボタン画像が表示されている場合、前記表示時設定処理手段は、前記情報表示のための画像が占める前記表示領域の中で、前記ボタン画像以外の領域がユーザによって指定されたとき、前記指定操作があったと判定することを特徴とする車載画像表示制御装置。
【請求項２】
画像表示装置の表示領域における情報の表示（以下、情報表示という）を行うか否かを指定する表示可否データを記憶する記憶媒体と、
前記記憶媒体に記憶されている前記表示可否データが前記情報表示を行う旨を指定していることに基づいて、前記画像表示装置を制御して前記情報表示を行わせ、また、前記記憶媒体に記憶されている表示可否データが前記情報表示を行わない旨を指定していることに基づいて、前記情報表示のための制御を回避する情報表示制御手段と、
前記画像表示装置が前記情報表示を行っているとき、ユーザによる前記表示領域の指定操作があったことに基づいて、前記情報表示の表示可否の設定を行うための設定画面を表示し、その設定画面において、前記表示可否の設定のための操作をユーザから受け付けると共に受け付けた前記操作に対応する設定を前記記憶媒体中の前記表示可否データに反映させる表示時設定処理手段と、を備え、
前記情報表示制御手段は、前記記憶媒体に記憶されている表示可否データが前記情報を表示しない旨を指定していることに基づいて、前記画像表示装置の前記表示領域より小さい小表示領域に、前記小表示領域の周囲から区別できる区別画像を表示させ、
前記車載画像表示制御装置は、前記画像表示装置が前記区別画像を前記小表示領域に表示させているとき、ユーザによる前記小表示領域の指定操作があったことに基づいて、前記情報表示の表示可否の設定を行うための設定画面を表示し、その設定画面において、前記表示可否の設定のための操作をユーザから受け付けると共に受け付けた前記操作に対応する設定を前記記憶媒体中の前記表示可否データに反映させる非表示時設定処理手段を備えたことを特徴とする車載画像表示制御装置。
【請求項３】
前記情報表示制御手段は、前記記憶媒体に記憶されている表示可否データが前記情報表示を行う旨を指定しているときに、前記情報表示を行うべき条件が満たされると、所定の第１の期間において前記情報表示を前記画像表示装置に行わせ、前記記憶媒体に記憶されている表示可否データが前記情報を表示しない旨を指定しているときに、前記情報表示を行うべき条件が満たされると、所定の第２の期間において前記区別画像を表示させることを特徴とする請求項２に記載の車載画像表示制御装置。
【請求項４】
前記非表示時設定処理手段は、前記表示可否の設定のための操作を受け付ける、複数の設定項目を含む第１設定画面の表示と、前記第１設定画面よりも設定項目の少ない第２設定画面の表示とを、当該車載画像表示制御装置の移動状況または動作状態に基づいて切り替えることを特徴とする請求項２または３に記載の車載画像表示制御装置。
【請求項５】
画像表示装置の表示領域における情報の表示（以下、情報表示という）を行うか否かを指定する表示可否データを記憶する記憶媒体と、
前記記憶媒体に記憶されている前記表示可否データが前記情報表示を行う旨を指定していることに基づいて、前記画像表示装置を制御して前記情報表示を行わせ、また、前記記憶媒体に記憶されている表示可否データが前記情報表示を行わない旨を指定していることに基づいて、前記情報表示のための制御を回避する情報表示制御手段と、
前記画像表示装置が前記情報表示を行っているとき、ユーザによる前記表示領域の指定操作があったことに基づいて、前記情報表示の表示可否の設定を行うための設定画面を表示し、その設定画面において、前記表示可否の設定のための操作をユーザから受け付けると共に受け付けた前記操作に対応する設定を前記記憶媒体中の前記表示可否データに反映させる表示時設定処理手段と、を備え、
前記表示時設定処理手段は、前記表示可否の設定のための操作を受け付ける、複数の設定項目を含む第１設定画面の表示と、前記第１設定画面よりも設定項目の少ない第２設定画面の表示とを、当該車載画像表示制御装置の移動状況または動作状態に基づいて切り替えることを特徴とする車載画像表示制御装置。
【請求項６】
前記表示時設定処理手段は、前記表示可否の設定のための操作を受け付ける、複数の設定項目を含む第１設定画面の表示と、前記第１設定画面よりも設定項目の少ない第２設定画面の表示とを、当該車載画像表示制御装置の移動状況または動作状態に基づいて切り替えることを特徴とする請求項１ないし３のいずれか１つに記載の車載画像表示制御装置。
【請求項７】
前記情報表示は、ユーザに対する当該車載画像表示制御装置の動作の選択の要求、ユーザに対する当該車載画像表示制御装置の動作の確認の要求、および当該車載画像表示制御装置の動作状況の補足説明のうち少なくとも１つを行うための文字列の、画像表示装置の全表示領域の一部領域における表示であることを特徴とする請求項１ないし６のいずれか１つに記載の車載画像表示制御装置。
【発明の詳細な説明】
【技術分野】
【０００１】
本発明は、ユーザの設定に基づいて情報の表示・非表示を切り替えることのできる車載画像表示制御装置および車載画像表示制御用プログラムに関する。
【背景技術】
【０００２】
従来、車載画像表示制御装置（例えばナビゲーション装置）は、画像表示装置に種々の情報を表示させるようになっている。これらの情報の一部について、表示が不必要であるとユーザが判断する場合がある。このような場合に対応するための技術として、各情報を画像表示装置に表示させるか否かの設定をユーザが行えるようにする技術が知られている（例えば特許文献１参照）。
【特許文献１】特開平０４−１３２４７５号公報
【発明の開示】
【発明が解決しようとする課題】
【０００３】
このような情報の表示・非表示の設定をユーザが行う方法としては、車載画像表示制御装置の全体メニュー画面からメニュー階層を辿ることで、当該情報の表示・非表示の設定画面を見つけ出し、その設定画面を利用して設定する方法が一般的である。しかし、このような複雑な設定方法では、ユーザが当該情報の表示・非表示の設定画面を見つけることができない場合も多くなる。そのような場合、そのユーザにとって不必要な情報がいつまでも表示されることになってしまう。
【０００４】
本発明は上記点に鑑み、情報の表示・非表示を、全体メニュー画面を経て階層を辿らずとも設定可能とするような車載画像表示制御装置を提供することを目的とする。
【課題を解決するための手段】
【０００５】
上記目的を達成するための請求項１に記載の発明においては、画像表示装置の表示領域における情報の表示（以下、情報表示という）を行うか否かを指定する表示可否データを記憶する記憶媒体を備えた車載画像表示制御装置が、当該当該表示可否データが当該情報表示を行う旨を指定していることに基づいて、当該画像表示装置を制御して当該情報表示を行わせ、また、当該記憶媒体に記憶されている表示可否データが当該情報表示を行わない旨を指定していることに基づいて、当該情報表示のための制御を回避するようになっている。そして、この車載画像表示制御装置は、当該画像表示装置が当該情報表示を行っているとき、ユーザによる当該表示領域の指定操作があったことに基づいて、情報表示の表示可否の設定を行うための設定画面を表示し、その設定画面において、表示可否の設定のための操作をユーザから受け付けると共に受け付けた当該操作に対応する設定を当該記憶媒体中の当該表示可否データに反映させる。
【０００６】
このようになっていることで、情報表示を行うか否かについての設定のための操作を受け付ける設定画面の表示が、当該情報表示のための表示領域に対するユーザの指定の操作があったことに基づいて開始される。したがって、情報の表示・非表示の設定が、車載画像表示制御装置の全体メニュー画面を経て階層を辿らずとも可能となる。
また、請求項１に記載したように、情報表示のための画像が占める表示領域の一部に、選択可能なボタン画像が表示されている場合、表示時設定処理手段は、情報表示のための画像が占める表示領域の中で、ボタン画像以外の領域がユーザによって指定されたとき、指定操作があったと判定する。
【０００７】
また、ユーザは、情報を非表示にするような設定を行った後に、再度その情報が表示されるような設定に戻したいと感じる場合もあり得る。このような場合は、設定を表示から非表示に変える場合に比べ、設定を戻したい対象がどのような情報の表示・非表示の設定だったかをはっきり覚えていない可能性が高い。したがって、設定を非表示から表示に変える場合、全体メニューを辿って当該情報の表示・非表示の設定画面を見つけることがより困難となる。
【０００８】
その点、請求項２に記載の車載画像表示制御装置は、当該記憶媒体に記憶されている表示可否データが当該情報を表示しない旨を指定していることに基づいて、当該画像表示装置の当該表示領域より小さい小表示領域に、当該小表示領域の周囲から区別できる区別画像を表示させ、さらに、当該画像表示装置が当該区別画像を当該小表示領域に表示させているとき、ユーザによる当該小表示領域の指定操作があったことに基づいて、情報表示の表示可否の設定を行うための設定画面を表示し、その設定画面において、表示可否の設定のための操作をユーザから受け付けると共に受け付けた当該操作に対応する設定を当該記憶媒体中の当該表示可否データに反映させるようになっている。
【０００９】
このようになっていることで、当該情報表示が回避されている状態において表示される区別画像のための小表示領域に対するユーザの指定の操作があったことに基づいて、情報表示・非表示の設定操作を受け付ける設定画面の表示が開始される。したがって、情報の非表示から表示への設定の切り替えが、車載画像表示制御装置の全体メニュー画面を経て階層を辿らずとも可能となる。
【００１０】
また、請求項３に記載の車載画像表示制御装置は、記憶媒体に記憶されている表示可否データが情報表示を行う旨を指定しているときに、情報表示を行うべき条件が満たされると、所定の第１の期間において情報表示を画像表示装置に行わせ、記憶媒体に記憶されている表示可否データが情報を表示しない旨を指定しているときに、情報表示を行うべき条件が満たされると、所定の第２の期間において区別画像を表示させるようになっている。
【００１１】
このようになっていることで、記憶媒体に記憶されている表示可否データが情報を表示しない旨を指定しているときに、情報表示のための条件が満たされてから所定の第２の期間において、区別画像が表示され、ユーザによる設定要求の操作が可能となる。そして、ユーザが設定要求の操作を行うと、情報表示・非表示の設定操作を受け付けるための設定画面の表示が開始される。したがって、情報の非表示から表示への設定の切り替えが、車載画像表示制御装置の全体メニュー画面を経て階層を辿らずとも可能となる。
【００１２】
また、請求項４に記載の車載画像表示制御装置は、非表示時設定処理手段が、表示可否の設定のための操作を受け付ける、複数の設定項目を含む第１設定画面の表示と、第１設定画面よりも設定項目の少ない第２設定画面の表示とを、当該車載画面表示制御装置の移動状況または動作状態に基づいて切り替えるようになっている。
【００１３】
さらに、請求項５、６に記載の車載画像表示制御装置は、表示時設定処理手段が、表示可否の設定のための操作を受け付ける、複数の設定項目を含む第１設定画面の表示と、第１設定画面よりも設定項目の少ない第２設定画面の表示とを、当該車載画像表示制御装置の移動状況または動作状態に基づいて切り替えるようになっている。
【００１４】
これらのようになっていることで、当該車載画像表示制御装置の移動状況または動作状態に基づいて、比較的簡易な方法にて設定を行う第２設定画面と、比較的複雑な方法にて設定を行う第１設定画面とを切り替えるという、よりきめ細かな制御が可能となる。
【００１５】
また、請求項７に記載の車載画像表示制御装置において、当該情報表示は、ユーザに対する当該車載画像表示制御装置の動作の選択の要求、ユーザに対する当該車載画像表示制御装置の動作の確認の要求、および当該車載画像表示制御装置の動作状況の補足説明のうち少なくとも１つを行うための文字列の、画像表示装置の全表示領域の一部領域における表示である。
【００１６】
このような種類の情報表示、すなわちオンスクリーン表示は、ユーザがその表示を不要であると感じる可能性が高いので、本発明を適用することがより好ましい。
【００１７】
また参考として、画像表示装置の表示領域における情報の表示（以下、情報表示）を行うか否かを指定する表示可否データを記憶する記憶媒体に記憶されている当該表示可否データが当該情報表示を行う旨を指定していることに基づいて、当該画像表示装置を制御して当該情報表示を行わせ、また、当該記憶媒体に記憶されている表示可否データが当該情報表示を行わない旨を指定していることに基づいて、当該情報表示のための制御を回避する情報表示制御機能、および、当該画像表示装置が当該情報表示を行っているとき、ユーザによる当該表示領域の指定操作があったことに基づいて、情報表示の表示可否の設定を行うための設定画面を表示し、その設定画面において、表示可否の設定のための操作をユーザから受け付けると共に受け付けた当該操作に対応する設定を当該記憶媒体中の当該表示可否データに反映させる表示時設定処理機能を、コンピュータに実現させる車載画像表示制御用プログラムとしても捉えることができる。
【発明を実施するための最良の形態】
【００１８】
以下、本発明の一実施形態について説明する。図１に、本実施形態に係る車両用ナビゲーション装置１のハードウェア構成図を示す。この車両用ナビゲーション装置１の特徴の１つは、後述するオンスクリーン表示の実行・非実行の設定に関する作動である。オンスクリーン表示とは、ナビゲーション装置の動作の選択をユーザに促すための、またはナビゲーション装置の動作の確認をユーザに促すための、またはナビゲーション装置の動作状況（例えば目的地到着の検出）の補足説明をユーザに行うための文字列（場合によっては文字列と絵柄）を、画像表示装置の表示画面の一部の領域に、画像表示装置が現在表示している画像上に重ねるように表示することをいう。
【００１９】
図１に、この車両用ナビゲーション装置１のハードウェア構成を示す。車両用ナビゲーション装置１は、位置検出器１１、画像表示装置１２、操作部１３、音声回路１４、スピーカ１４ａ、マイク１４ｂ、ＶＩＣＳ（登録商標、以下同様）受信機１５、ＲＡＭ１６、ＲＯＭ１７、外部記憶部１８、および制御回路１９を有している。
【００２０】
位置検出器１１は、いずれも周知の図示しない地磁気センサ、ジャイロスコープ、車速センサ、およびＧＰＳ受信機等のセンサを有しており、これらセンサの各々の性質に基づいた、車両の現在位置や向きを特定するための情報を制御回路１９に出力する。
【００２１】
画像表示装置１２は、表示画面を有し、制御回路１９から出力された映像信号に基づいた映像をその表示画面上に示す。
【００２２】
操作部１３は、車両用ナビゲーション装置１に設けられた複数のメカニカルスイッチ、画像表示装置１２の表示画面に重ねて設けられたタッチパネル等の入力装置から成り、ユーザによるメカニカルスイッチの押下、タッチパネルのタッチに基づいた信号を制御回路１９に出力する。また操作部１３は、メカニカルスイッチ群と、それらメカニカルスイッチ群のそれぞれの押下に基づく無線信号を送信するリモートコントロール送信機を備え、さらに、そのリモートコントロール送信機からの無線信号を受信して制御回路１９に出力するリモートコントロール受信機を備えている。
【００２３】
音声回路１４は、制御回路１９から受けた音声データに基づく音声信号をスピーカ１４ａに出力し、マイク１４ｂが検出した音声信号に基づく音声データを制御回路１９に出力する。
【００２４】
ＶＩＣＳ受信機１５は、道路沿いに設置された路上機から無線送信された道路の渋滞情報、交通規制情報等を受信して制御回路１９に出力する無線受信機である。
【００２５】
外部記憶部１８は、ＤＶＤ、ＣＤ、ＨＤＤ等の不揮発性の記憶媒体およびそれら記憶媒体に対してデータの読み出し（および可能ならば書き込み）を行う装置から成り、制御回路１９が読み出して実行するプログラム、経路案内用の地図データ、楽曲データ、オンスクリーン表示設定データ等を記憶している。地図データは、リンクおよびノードの位置、種別、ノードとリンクとの接続関係情報等を含む道路データを有し、更に、地図上の施設の名称、住所、詳細情報等を含む施設データを有している。
【００２６】
オンスクリーン表示設定データは、各種オンスクリーン表示の動作内容に関する設定を示すデータである。このオンスクリーン表示設定データは、各種オンスクリーン表示のそれぞれ毎に、当該オンスクリーン表示を許可するか否かを示す表示可否データを有している。
【００２７】
制御回路（コンピュータに相当する）１９は、ＲＯＭ１７および外部記憶部１８から読み出した車両用ナビゲーション装置１の動作のためのプログラムを実行し、その実行の際にはＲＡＭ１６、ＲＯＭ１７、および外部記憶部１８から情報を読み出し、ＲＡＭ１６および外部記憶部１８に対して情報の書き込みを行い、位置検出器１１、画像表示装置１２、操作部１３、音声回路１４、およびＶＩＣＳ受信機１５と信号の授受を行う。
【００２８】
制御回路１９がプログラムを実行することによって行う具体的な処理としては、現在位置特定処理、地図表示処理、誘導経路算出処理、経路案内処理、楽曲再生処理、楽曲コピー処理等がある。
【００２９】
現在位置特定処理は、位置検出器１１からの信号に基づいて、周知のマップマッチング等の技術を用いて車両の現在位置や向きを特定する処理である。
【００３０】
地図表示処理は、現在位置特定処理によって特定された現在位置、操作部１３を介して指定を受け付けた位置等、特定の位置の周辺の地図画像を、外部記憶部１８中の地図データに基づいて、画像表示装置１２に表示させる処理である。
【００３１】
誘導経路算出処理は、操作部１３からユーザによる目的地の入力を受け付け、現在位置から当該目的地までの最適な誘導経路を算出する処理である。
【００３２】
経路案内処理は、誘導経路中の案内交差点の手前に自車両が到達したとき、自車両が目的地に到着したとき等の必要時に、音声回路１４または画像表示装置１２を用いてユーザに情報を提供する処理である。情報の提供の方法には、例えば、案内交差点の手前において、右折、左折等を指示する案内音声信号を音声回路１４に出力する方法、また、案内交差点を拡大した地図画像を画像表示装置１２に表示させる方法がある。
【００３３】
楽曲再生処理は、操作部１３から受けた信号等に基づいて、その信号の特定する楽曲に対応する楽曲データを外部記憶部１８から読み出し、読み出した楽曲データに基づく音声データを音声回路１４に出力する処理である。
【００３４】
楽曲コピー処理は、外部記憶部１８のＣＤ等のリムーバブルメディアに記録された楽曲データを外部記憶部１８のＨＤＤにコピーする処理である。
【００３５】
また制御回路１９は、これらの処理の実行と並行して、様々な種類のオンスクリーン表示のための処理を行う。制御回路１９が行わせるオンスクリーン表示の例としては、施設説明用のオンスクリーン表示、道路選択用のオンスクリーン表示、リルート問い合わせ用のオンスクリーン表示、到着通知用のオンスクリーン表示、およびコピー完了通知用のオンスクリーン表示がある。
【００３６】
これらオンスクリーン表示のために制御回路１９がＲＯＭ１７または外部記憶部１８から読み出して繰り返し実行するオンスクリーン制御プログラム１００、およびオンスクリーン制御プログラム１００から呼び出される設定処理モジュール２００を、それぞれ図３および図４にフローチャートとして示す。
【００３７】
制御回路１９は、オンスクリーン制御プログラム１００の実行において、まずステップ１０５で、現在オンスクリーン表示を開始するタイミングであるか否かを判定する。
【００３８】
オンスクリーン表示を開始するタイミングであるか否かは、各種オンスクリーン表示を行うための一次条件が満たされているか否かで判定する。一次条件は、自車両の走行状況（例えば車速）または車両用ナビゲーション装置１の作動状態に関する条件である。オンスクリーン表示には、それぞれ１組の一次条件が対応付けられている。
【００３９】
例えば、施設説明のオンスクリーン表示に対応する一次条件は、ユーザが操作部１３を操作して画像表示装置１２上の一点を指定することである。また、道路選択用のオンスクリーン表示に対応する一次条件は、ユーザ制御回路１９が、誘導経路算出処理の実行中に、目的地までの誘導経路の候補として高速道路を通る経路と通らない経路とがあると判定することである。また、リルート問い合わせ用のオンスクリーン表示に対応する一次条件は、制御回路１９が、現在位置が誘導経路算出処理によって算出された誘導経路から逸れたと判定することである。また、到着通知用のオンスクリーン表示に対応する一次条件は、制御回路１９が、現在位置が目的地またはその近傍に到達したと判定することである。また、コピー完了通知用のオンスクリーン表示に対応する一次条件は、制御回路１９が、楽曲コピー処理の実行中に楽曲のコピーが終了したと判定することである。
【００４０】
これら一次条件のうちいずれか１つが満たされている場合、続いてステップ１１０を実行し、１つも満たされていない場合、再度ステップ１０５を実行する。
【００４１】
ステップ１１０では、ステップ１０５で満たされたと判定した一次条件が、どの種類のオンスクリーン表示に対応しているかを特定する。一次条件とオンスクリーン表示との対応関係は、オンスクリーン制御プログラム１００内に記載されていてもよいし、ＲＯＭ１７または外部記憶部１８中にオンスクリーン制御プログラム１００外のデータとして記録されていてもよい。
【００４２】
続いてステップ１１５では、ステップ１１０で特定したオンスクリーン表示が許可されているか否かを判定する。この判定は、外部記憶部１８中の複数の可否データのうち、ステップ１１５で特定したオンスクリーン表示に対応する可否データに基づいて判定する。許可されている場合続いてステップ１２０を実行し、許可されていない場合続いてステップ１４５を実行する。
【００４３】
ステップ１２０では、当該オンスクリーン表示を画像表示装置１２に行わせるための制御を行う。例えば、リルート問い合わせ用のオンスクリーン表示の場合、図４に示す通り、画像表示装置１２の表示画面３０の一部領域において、地図画像３１に重ねるように、リルート問い合わせ用のポップアップウインドウ３２を表示させる。このポップアップウインドウ３２は、リルート（すなわち誘導経路の再算出）を行うか否かを問い合わせる文字列と、その問い合わせに対する返答を受け付けるための選択可能なボタン画像（すなわちＹＥＳボタン３３およびＮＯボタン３４）を有している。
【００４４】
また、施設説明のオンスクリーン表示の場合、操作部１３を用いてユーザが指定した地図上の一点にある施設の住所、名称、または詳細情報等の文字列を含むポップアップウインドウを、画像表示装置１２の表示画面の所定の一部の領域に表示させる。また、道路選択用のオンスクリーン表示の場合、高速道路を通る経路を誘導経路として優先するか否かを問い合わせる文字列と、その問い合わせに対する返答を受け付けるための選択可能なボタン画像とを含むポップアップウインドウを、画像表示装置１２の表示画面の一部の領域に表示させる。また、到着通知用のオンスクリーン表示の場合、「目的地に到着しました」等、目的地に到着したことを示す文字列を含むポップアップウインドウを、画像表示装置１２の表示画面の一部の領域に表示させる。また、コピー完了通知用のオンスクリーン表示の場合、「コピー完了」等、楽曲のコピーが終了した旨の文字列を含むポップアップウインドウを、画像表示装置１２の表示画面の一部の領域に表示させる。
【００４５】
続いてステップ１２５では、直前にオンスクリーン表示が行われた領域（すなわち直前のオンスクリーン表示によって表示された画像が画像表示装置１２の表示画面中に占める領域）をユーザが指定したか否かを判定する。ユーザによるオンスクリーン表示が行われた領域の指定とは、例えば、タッチパネル上の当該領域へのタッチ、リモコンのメカニカルスイッチの操作による当該領域中のポップアップウインドウのフォーカスがある。ただし、リルート問い合わせ用のオンスクリーン表示の場合および道路選択用のオンスクリーン表示の場合等の、選択可能なボタン画像が当該一部領域のさらに一部に表示されている場合は、そのボタン画像を指定する操作については、オンスクリーン表示が行われた領域の指定ではないと判定する。ボタン画像の指定としては、例えば、タッチパネル上の当該ボタン画像へのタッチ、リモコンのメカニカルスイッチの操作による当該ボタンのみのフォーカスがある。オンスクリーン表示が行われた領域の指定がないと判定すると続いてステップ１３０を実行し、あると判定すると続いてステップ１４０で後述する設定処理を実行する。
【００４６】
ステップ１３０では、今回分のオンスクリーン表示を終了するためのオンスクリーン表示終了条件のうち少なくとも１つが満たされているか否かを判定する。オンスクリーン表示終了条件の１つは、直前のステップ１２０の実行、すなわち今回のオンスクリーン表示の開始からの経過時間が第１の基準時間が経過したことである。第１の基準時間は、あらかじめ記憶された一定値であってもよいし、各種条件に基づいて変動する値であってもよいし、一定の範囲内でランダムに決まる値であってもよい。
【００４７】
また、当該オンスクリーン表示のための一次条件が解消したことも、オンスクリーン表示終了条件の１つである。例えば、リルート問い合わせ用のアイコン表示の場合、自車両が当初の誘導経路に復帰すると、一次条件が解消する。
【００４８】
また、上述の選択可能なボタン画像が操作部１３の操作によって確定的に選択されることも、オンスクリーン表示終了条件の１つである。選択可能なボタン画像の確定的な選択とは、例えば、タッチパネル上の当該ボタン画像に対する短期間（例えば０．５秒）内の複数回タッチ、リモコンのメカニカルスイッチの操作による当該ボタンの選択確定操作がある。オンスクリーン表示終了条件のうち少なくとも１つが満たされている場合、続いてステップ１３５を実行し、満たされていない場合、再度ステップ１２５を実行する。
【００４９】
ステップ１３５では、現在オンスクリーン表示によって表示されている画像を消去し、その後オンスクリーン制御プログラム１００の１回分の実行を終了する。なおこのとき、ステップ１３０で、ボタン画像が確定的に選択されたと判定した場合は、更に、その選択されたボタン画像に対応する処理を実行する。
【００５０】
例えば、リルート問い合わせ用のオンスクリーン表示においては、図４のＹＥＳボタン３３が確定的に選択されたかまたはＮＯボタン３４が確定的に選択されたかに基づいてリルートを行うか否かを判定する。そして、リルートを行うと判定した場合にのみ、再度誘導経路算出処理を実行して、その時点における現在位置から目的地までの新たな誘導経路を算出する。また、道路選択用のオンスクリーン表示においては、確定的に選択されたボタン画像が高速道路優先を示しているか否かに応じて、高速道路を優先した、または優先しない誘導経路を算出する。
【００５１】
ステップ１１５で当該オンスクリーン表示が許可されていない、すなわち禁止されていると判定した後のステップ１４５では、当該オンスクリーン表示に対応するアイコン表示を画像表示装置１２に行わせるための処理を行う。アイコン表示とは、当該オンスクリーン表示が行われるときの表示領域よりも小さい小表示領域に、小表示領域の周囲から区別できる画像（すなわちアイコン）を表示させることをいう。小表示領域の位置は、画像表示装置１２の表示画面の隅にあるほうが、他の画像表示の邪魔になりにくい。このアイコンは、対応するオンスクリーン表示によって示される情報を象徴的に表す絵または文字の画像である。図５に、このアイコンの一例として、表示画面４０中の地図画像４１の左下隅に表示されたリルート問い合わせ用アイコン４２を示す。このリルート問い合わせ用アイコン４２は、リルート問い合わせ用のオンスクリーン表示に対応するアイコンであり、リルートを象徴的に示す道路分岐を表している。また例えば、到着通知用のオンスクリーン表示に対応するアイコンは、ゴールフラッグやアルファベットのＧを表していてもよい。また、コピー完了通知用のオンスクリーン表示に対応するアイコンは、ＣＤの外観を表していてもよい。
【００５２】
続いてステップ１５０では、直前に表示されたアイコンの占める領域をユーザが指定したか否かを判定する。ユーザによる当該領域の指定とは、例えば、タッチパネル上の当該領域へのタッチ、リモコンのメカニカルスイッチの操作による当該アイコンのフォーカスがある。当該指定がないと判定すると続いてステップ１５５を実行し、あると判定すると続いてステップ１６５で後述する設定処理を実行する。
【００５３】
ステップ１５５では、今回分のアイコン表示を終了するためのアイコン表示終了条件のうち少なくとも１つが満たされているか否かを判定する。アイコン表示終了条件の１つは、直前のステップ１４５の実行、すなわち今回のアイコン表示の開始からの経過時間が第２の基準時間が経過したことである。第２の基準時間は、あらかじめ記憶された一定値であってもよいし、各種条件に基づいて変動する値であってもよいし、一定の範囲内でランダムに決まる値であってもよい。また、第１の基準時間と第２の基準時間とは同じであってもよいし、同じでなくてもよい。また、当該アイコン表示に対応するオンスクリーン表示のための一次条件が解消したことも、アイコン表示終了条件の１つである。アイコン表示終了条件のうち少なくとも１つが満たされている場合、続いてステップ１６０を実行し、満たされていない場合、再度ステップ１５０を実行する。
【００５４】
ステップ１５０では、現在表示されているアイコンを消去し、その後オンスクリーン制御プログラム１００の１回分の実行を終了する。
【００５５】
以上のようなオンスクリーン制御プログラム１００を繰り返し実行することで、車両用ナビゲーション装置１は、オンスクリーン表示のための一次条件のいずれかが満たされる度に（ステップ１０５参照）、その一次条件に対応するオンスクリーン表示について（ステップ１１０参照）、表示の可否を、表示可否データに基づいて特定する（ステップ１１５参照）。
【００５６】
そして、表示可の場合には、当該オンスクリーン表示を行う（ステップ１２０、図４参照）。このオンスクリーン表示の継続期間は、最長で第１基準時間となる（ステップ１３０、１３５参照）。
【００５７】
この際、当該オンスクリーン表示が行われている領域に対するユーザの指定を操作部１３を介して受けた場合（ステップ１２５参照）、当該オンスクリーン表示の表示可否の設定を受け付けて当該表示可否データに反映させるための処理を実行する（ステップ１４０参照）。
【００５８】
また、当該表示可否データが表示不可を示している場合には、当該オンスクリーン表示を回避し、そのオンスクリーン表示に対応するアイコンを表示画面の隅に表示させる（ステップ１４５、図５参照）。このアイコンの表示期間は、最長で第２基準時間となる（ステップ１５５、１６０参照）。この際、当該アイコンが表示されている領域に対するユーザの指定を操作部１３を介して受けた場合（ステップ１５０参照）、当該アイコンに対応するオンスクリーン表示の表示可否の設定を受け付けて表示可否データに反映させるための処理を実行する（ステップ１６５参照）。
【００５９】
ここで、ステップ１４０および１６５の、当該オンスクリーン表示の表示可否の設定を受け付けて表示可否データに反映させるための処理のそれぞれにおいては、制御回路１９は、図３に示す設定処理モジュール２００を呼び出して実行する。制御回路１９は、この設定処理モジュール２００の実行において、まずステップ２１０で、当該オンスクリーン表示の設定を受ける画面として、詳細な設定画面と、簡易な設定画面のいずれを用いるかを判定する。
【００６０】
ここで用いる判定基準としては、例えば、自車両が走行中であるか否かを用いてもよい。自車両が走行中か否かは、位置検出器１１から取得した自車両の現在の速度が基準速度（例えば時速1０メートル）以上であるか否かによって判定してもよい。より具体的には、制御回路１９は、自車両が走行中の場合は、運転の妨げになりにくい簡易な設定画面を選択し、自車両が走行中でない、すなわち停止中である場合は、詳細な設定画面を選択するようになっていてもよい。
【００６１】
また、ここで用いる別の判定基準としては、例えば、現在画像表示装置１２が表示している画像のうち、オンスクリーン表示またはそれに代わるアイコン表示に関する画像以外の画像に関連する機能（以下、メイン機能という）に関する情報を用いた基準であってもよい。具体的には、このメイン機能と、オンスクリーン表示またはそれに代わるアイコン表示の種別に関連する機能とが同一カテゴリであるか否かを、判定基準としてもよい。より具体的には、制御回路１９は、それらが同一カテゴリであれば、詳細な設定画面を選択し、異なるカテゴリであれば、簡易な設定画面を選択してもよい。カテゴリ分けとしては、例えば、楽曲再生機能とナビゲーション機能という区分けがある。
【００６２】
例えば、制御回路１９が楽曲再生処理を実行し、その実行中に画像表示装置１２に楽曲再生に関する情報（例えば楽曲名、演奏アーティスト名、演奏進捗度合いを示すプログレスバー）を表示させているとき、上述のリルート問い合わせ用のオンスクリーン表示またはアイコン表示、あるいは到着通知用のオンスクリーン表示またはアイコン表示を行った場合を考える。この場合、メイン機能は楽曲再生のカテゴリに属し、オンスクリーン表示またはアイコン表示はナビゲーション機能に属するので、制御回路１９は、ステップ２１０において簡易な設定画面を選択するようになっていてもよい。このようにすることで、メイン機能と異なるカテゴリの機能のオンスクリーン表示またはアイコン表示の設定変更の際でも、メイン機能の表示を表示画面中になるべく多く残すことができる。
【００６３】
例えば、制御回路１９が地図表示処理を実行しているとき、上述のリルート問い合わせ用のオンスクリーン表示またはアイコン表示、あるいは到着通知用のオンスクリーン表示またはアイコン表示を行った場合を考える。この場合、メイン機能はナビゲーション機能に属し、オンスクリーン表示またはアイコン表示はナビゲーション機能に属するので、制御回路１９は、ステップ２１０において詳細な設定画面を選択するようになっていてもよい。
【００６４】
ステップ２１０で詳細な設定画面を選択した場合、続いてステップ２２０を実行し、簡易な設定画面を選択した場合、続いてステップ２４０を選択する。
【００６５】
ステップ２２０では、詳細設定画面を画像表示装置１２に表示させる。図６に、詳細設定画面の一例を示す。図６に示す表示画面５０は、リルート問い合わせ用のオンスクリーン表示に関する設定画面であって、表示ボタン５１、非表示ボタン５２、期間入力フィールド５３、サウンドＯＮボタン５４、サウンドＯＦＦボタン５５、および反映ボタン５６を有している。制御回路１９は、ユーザによる操作部１３の操作に基づいて、表示ボタン５１または非表示ボタン５２のいずれか１つの選択を受け付けることができる。また制御回路１９は、ユーザによる操作部１３の操作に基づいて、期間入力フィールド５３に対する秒数の入力を受け付けることができる。また制御回路１９は、ユーザによる操作部１３の操作に基づいて、サウンドＯＮボタン５４またはサウンドＯＦＦボタン５５の選択を受け付けることができる。
【００６６】
また、制御回路１９は、ユーザが操作部１３を操作して反映ボタン５６を選択したことを検出すると、ステップ２３０で、この設定画面を用いたユーザの操作に基づく設定を、リルート問い合わせ用のオンスクリーン表示およびアイコン表示の内容に反映させる。例えば、表示ボタン５１または非表示ボタン５２のうち、どちらが選択されたかに基づいて、リルート問い合わせ用のオンスクリーン表示に対応する表示可否データのオン／オフを切り替える。また例えば、期間入力フィールド５３に入力された秒数に、第１の基準時間および第２の基準時間を合わせる。また例えば、リルート問い合わせ用のオンスクリーン表示を行うときに、音声回路１４にチャイム音を出力するか否かを、サウンドＯＮボタン５４およびサウンドＯＦＦボタン５５のどちらが選択されたかに基づいて切り替える。ステップ２３０の後、設定処理モジュール２００の実行が終了し、それに伴ってステップ１４０および１６５の処理が終了する。
【００６７】
簡易な設定画面を選択した後のステップ２４０では、簡易設定用ポップアップウインドウを表示画面の一部に重ねて表示させる。この簡易設定用ポップアップウインドウの表示は、オンスクリーン表示の一種でもある。
【００６８】
図７に、オンスクリーン表示時（すなわちステップ１４０の実行時）に表示させる簡易設定用ポップアップウインドウの例を示す。この例における簡易設定用ポップアップウインドウ３５は、オンスクリーン表示を行わないようにするか否かを問い合わせる文字列に加え、その問い合わせに対してそれぞれ肯定および否定の選択を受け付ける選択可能なＹＥＳボタン３６および選択可能なＮＯボタン３７を有している。この例の場合、ユーザが操作部１３を用いてＹＥＳボタン３６を選択すると、制御回路１９はステップ２５０でこの選択を反映する。すなわち、ルート問い合わせ用のオンスクリーン表示に対応する表示可否データをオン（すなわち表示可）からオフ（すなわち表示不可）に書き替える。また、ユーザが操作部１３を用いてＮＯボタン３７を選択すると、制御回路１９は、ルート問い合わせ用のオンスクリーン表示に対応する表示可否データの変更を回避する。
【００６９】
図８に、アイコン表示時（すなわちステップ１６５の実行時）に表示させる簡易設定用ポップアップウインドウの例を示す。この例における簡易設定用ポップアップウインドウ４３は、オンスクリーン表示を行うようにするか否かを問い合わせる文字列に加え、その問い合わせに対してそれぞれ肯定および否定の選択を受け付ける選択可能なＹＥＳボタン４４および選択可能なＮＯボタン４５を有している。この例の場合、ユーザが操作部１３を用いてＹＥＳボタン４４を選択すると、制御回路１９はステップ２５０でこの選択を反映する。すなわち、ルート問い合わせ用のオンスクリーン表示に対応する表示可否データをオフからオンに書き替える。また、ユーザが操作部１３を用いてＮＯボタン４５を選択すると、制御回路１９は、ルート問い合わせ用のオンスクリーン表示に対応する表示可否データの変更を回避する。
【００７０】
ステップ２５０の後、設定処理モジュール２００の実行が終了し、それに伴ってステップ１４０および１６５の処理が終了する。
【００７１】
以上のような設定処理モジュール２００を実行することで、車両用ナビゲーション装置１は、オンスクリーン表示の表示可否の設定を受け付けて表示可否データに反映させるための処理（ステップ１４０、１６５、図３参照）において、各種条件に基づいて（ステップ２１０参照）、詳細な方法での設定を受け付けるための画面（図６参照）と、オンスクリーン表示の可否だけが設定できる簡易な方法での設定を受け付けるための画面（図７、図８参照）のうちいずれか一方を表示させる（ステップ２２０、２４０参照）。
【００７２】
以上説明したように、オンスクリーン表示を行うか否かについての設定のための操作の受け付けが、当該オンスクリーン表示のための表示領域に対するユーザの指定の操作があったことに基づいて開始される。したがって、情報の表示・非表示の設定が、ナビゲーション装置の全体メニュー画面を経て階層を辿らずとも可能となる。
【００７３】
また、当該オンスクリーン表示が回避されている状態において表示されるアイコンのための小表示領域に対するユーザの指定の操作があったことに基づいて、オンスクリーン表示・非表示の設定操作の受け付けが開始される。別の側面から見れば、当該オンスクリーン表示のための一次条件が満たされたタイミングに続く期間であり、かつ当該オンスクリーン表示が回避されている状態において、ユーザによる設定要求の操作があったことに基づいて、オンスクリーン表示・非表示の設定操作の受け付けが開始される。
【００７４】
したがって、情報の非表示から表示への設定の切り替えが、ナビゲーション装置の全体メニュー画面を経て階層を辿らずとも可能となる。これによって、ユーザが、オンスクリーン表示を非実行にするような設定を行った後に、再度それを実行するような設定に戻したいと感じたとき、どのような情報の表示・非表示の設定だったかをはっきり覚えていない場合でも容易にオンスクリーン表示の機能を復活させることができる。
【００７５】
また、当該ナビゲーション装置の移動状況または動作状態に基づいて、比較的簡易な方法での設定と比較的複雑な方法での設定を切り替えるという、よりきめ細かな制御が可能となる。
【００７６】
なお、上記の実施形態においては、車両用ナビゲーション装置１がナビゲーション装置の一例に相当し、外部記憶部１８が表示可否データを記憶する記憶媒体の一例に相当する。また、制御回路１９が、オンスクリーン制御プログラム１００のステップ１１５、１２０、および１４５を実行することで情報表示制御手段の一例として機能し、ステップ１２５および１４０を実行することで表示時設定処理手段の一例として機能し、ステップ１５０および１６５を実行することで非表示時設定処理手段の一例として機能する。
（他の実施形態）
以上、本発明の実施形態について説明したが、本発明の範囲は、上記実施形態のみに限定されるものではなく、本発明の各発明特定事項の機能を実現し得る種々の形態を包含するものである。
【００７７】
例えば、制御回路１９は、オンスクリーン制御プログラム１００のステップ１０５で複数種類のオンスクリーン表示の開始タイミングであると判定した場合は、ステップ１１０でそれら複数種類のオンスクリーン表示を特定し、それら特定したオンスクリーン表示のうち、表示可否データが表示可を示しているものについてはステップ１２０以降を実行してオンスクリーン表示を行い、それと並行して、表示可否データが表示不可を示しているものについてはステップ１４５以降を実行してアイコン表示を行うようになっていてもよい。
【００７８】
また制御回路１９は、オンスクリーン表示によって表示させたポップアップウィンドウ中に、設定処理実行用の選択可能なボタン画像を表示させてもよい。この場合、制御回路１９は、ステップ１２５で、当該ボタン画像が指定された場合にのみ、ステップ１４０を実行するようになっていてもよい。
【００７９】
また、ステップ１４０および１６５の設定処理において、簡易な設定画面を表示する場合には、ステップ１４０および１６５の設定処理の終了後、それぞれステップ１３５および１６０を実行して、オンスクリーン表示およびアイコン表示を終了するようになっていてもよい。
【００８０】
また、ステップ２１０における簡易な設定画面と詳細な設定画面の選択は、車速以外にも、例えば自車両の現在位置、加速度等に基づいて行ってもよい。
【００８１】
また、ステップ１４０およびステップ１６５の設定処理は、画像表示および操作部１３を用いず、音声認識処理を用いて実現してもよい。具体的には、ステップ１４０および１６５において、オンスクリーン表示を行うか否かを問い合わせる音声のデータを音声回路１４に出力し、音声回路１４から受けたユーザの返答の音声の内容を周知の音声認識技術で解析してもよい。そして、その内容が所定の肯定を示す言葉（例えば「イエス」）であれば、ステップ１１０で特定されたオンスクリーン表示に対応する表示可否データをオンとし、逆にその内容が所定の否定を示す言葉（例えば「ノー」）であれば、ステップ１１０で特定されたオンスクリーン表示に対応する表示可否データをオフとしてもよい。
【００８２】
また、表示可否データは、車両用ナビゲーション装置１の主電源オンオフに関わらず長期保存可能でかつ書き換え可能な記憶媒体ならどのような記憶媒体でもよい。例えばフラッシュメモリ、バックアップＲＡＭ等であってもよい。
【００８３】
また、制御回路１９は、ステップ１４５においてオンスクリーン表示のみならずアイコンの表示も回避するようになっていてもよい。この場合、ステップ１５０では、タッチパネルのどの位置がタッチされても、続いてステップ１６５で、ステップ１１０で特定されたオンスクリーン表示についての設定処理を実行するようになっていてもよい。また、「オンスクリーン設定キー」等、オンスクリーン設定用のキーがリモートコントロール送信機に割り当てられている場合、制御回路１９は、ステップ１５０では、そのキーが操作されたことに基づいて、続いてステップ１６５で、ステップ１１０で特定されたオンスクリーン表示についての設定処理を実行するようになっていてもよい。
【００８４】
このようになっていることで、アイコンが表示されなくとも、オンスクリーン表示のための一次条件が満たされたタイミングに続く期間中に、ユーザによる設定要求の所定の操作があったことに基づいて、当該オンスクリーン表示の設定処理を行うことができる。
【００８５】
また、制御回路１９は、ステップ１６５においては、ユーザの操作部１３を用いた所定の操作に基づいて、全種類のオンスクリーン表示に対応する表示可非データをオンに戻すようになっていてもよい。
【００８６】
また、本発明の実行・非実行の設定を行う対象は、必ずしもオンスクリーン表示である必要はない。画像表示装置の表示領域における情報の表示であれば足りる。
【００８７】
また、本発明のナビゲーション装置は、車両用ナビゲーション装置に限らず、人が形態するポータブルナビゲーション装置等、どのようなナビゲーション装置にも用いることもできる。
【００８８】
また、本発明の車載画像表示制御装置は、ナビゲーション装置に限らず、ＥＴＣ車載器、カーオーディオ装置等、画像表示装置を制御するようになっている車載装置であればどのようなものであってもよい。
【００８９】
また、制御回路１９が各種プログラムを実行して実現する機能のそれぞれは、当該機能を実現する専用のハードウェアによって実現されていてもよい。
【図面の簡単な説明】
【００９０】
【図１】本発明の実施形態に係る車両用ナビゲーション装置１の構成を示す図である。
【図２】制御回路１９が実行するオンスクリーン制御プログラム１００のフローチャートである。
【図３】制御回路１９が実行する設定処理モジュール２００のフローチャートである。
【図４】リルート問い合わせ用のオンスクリーン表示３２を示す表示画面である。
【図５】リルート問い合わせ用のアイコン表示４２を示す表示画面である。
【図６】オンスクリーン表示設定用の詳細設定画面である。
【図７】オンスクリーン表示設定用のオンスクリーン表示３５を示す表示画面である。
【図８】オンスクリーン表示設定用のオンスクリーン表示３５を示す表示画面である。
【符号の説明】
【００９１】
１…車両用ナビゲーション装置、１１…位置検出器、１２…画像表示装置、
１３…操作部、１４…音声回路、１４あ…スピーカ１４ａ、１４ｂ…マイク１４ｂ、
１５…ＶＩＣＳ受信機、１６…ＲＡＭ、１７…ＲＯＭ、１８…外部記憶部、
１９…制御回路、３０、４０、５０…表示画面、３１、４１…地図画像、
３２…ポップアップウインドウ、３５、４３…設定用オンスクリーン表示、
４２…アイコン、１００…オンスクリーン制御プログラム、
２００…設定処理モジュール。
【図１】
0005261878.tif 000002
【図２】
0005261878.tif 000003
【図３】
0005261878.tif 000004
【図４】
0005261878.tif 000005
【図５】
0005261878.tif 000006
【図６】
0005261878.tif 000007
【図７】
0005261878.tif 000008
【図８】
0005261878.tif 000009